(57)【要約】【課題】展示本体部がドスーンと降下するのを防止することができる被服展示用支柱構造を提供する。【解決手段】被服を展示する展示本体部を支持する支柱構造に於て、上方小径パイプ２と下方大径パイプ３とを伸縮可能に嵌合する。上方小径パイプ２の下端４に、上昇時にはエアーが下方大径パイプ３との間を通過可能かつ下降時にはエアーを封止するように拡開する下方拡径状の弾性パッキン５を付設し、さらに、下方大径パイプ３の下端７を閉鎖して、下方大径パイプ３の内部をエアー密封室Ａに形成する。【選択図】図２
2010184070.tif 000002
【特許請求の範囲】
【請求項１】
被服を展示する展示本体部（１）を支持する支柱構造に於て、上方小径パイプ（２）と下方大径パイプ（３）とを伸縮可能に嵌合し、かつ、上記上方小径パイプ（２）の下端（４）に、上昇時にはエアーが上記下方大径パイプ（３）との間を通過可能かつ下降時にはエアーを封止するように拡開する下方拡径状の弾性パッキン（５）を付設し、さらに、上記下方大径パイプ（３）の下端（７）を閉鎖して、該下方大径パイプ（３）の内部をエアー密封室（Ａ）に形成したことを特徴とする被服展示用支柱構造。
【請求項２】
上記下方大径パイプ（３）の下端（７）をプラスチック製又は金属製の封止部材（８）により閉鎖した請求項１記載の被服展示用支柱構造。
【発明の詳細な説明】
【技術分野】
【０００１】
本発明は、被服展示用支柱構造に関する。
【背景技術】
【０００２】
従来、被服展示用支柱構造は、展示本体部の高さを変更調節可能にするため伸縮機構を有するものがある（例えば、特許文献１参照）。
【０００３】
しかし、２本のパイプを伸縮自在に嵌合させてパイプの軸の直交方向からネジ（締結具）により２本のパイプを固定するという構成であり、締結具が緩んだ状態で上側のパイプ等から手を離すと、ドスーンと展示本体部が降下するという欠点があった。
【先行技術文献】
【特許文献】
【０００４】
【特許文献１】特開２００５−６５８１８号公報
【発明の概要】
【発明が解決しようとする課題】
【０００５】
解決しようとする課題は、締結具が緩んだ状態で上側のパイプ等から手を離すと、ドスーンと展示本体部が降下する点である。また、被服展示状態で、不意に急激に展示本体部が降下して、怪我をする虞れがあった点である。
【課題を解決するための手段】
【０００６】
そこで、本発明に係る被服展示用支柱構造は、被服を展示する展示本体部を支持する支柱構造に於て、上方小径パイプと下方大径パイプとを伸縮可能に嵌合し、かつ、上記上方小径パイプの下端に、上昇時にはエアーが上記下方大径パイプとの間を通過可能かつ下降時にはエアーを封止するように拡開する下方拡径状の弾性パッキンを付設し、さらに、上記下方大径パイプの下端を閉鎖して、該下方大径パイプの内部をエアー密封室に形成したものである。
また、上記下方大径パイプの下端をプラスチック製又は金属製の封止部材により閉鎖したものである。
【発明の効果】
【０００７】
本発明の被服展示用支柱構造によれば、締結具が緩んだ状態で上側のパイプ等から手を離しても、展示本体部がドスーンと降下するのを防止することができる。あるいは、店舗等に展示した状態で、急に展示本体部が降下する危険を確実に防止できる。すなわち、展示本体部は、エアー密封室のエアーの圧力によって弾発的に支持され、下降しないように保持され、又は、クッション性をもって緩やかに下方へ移動する。
【図面の簡単な説明】
【０００８】
【図１】本発明の第１の実施の形態の使用状態を示す正面図である。
【図２】要部拡大断面正面図である。
【図３】要部拡大断面正面図である。
【図４】要部拡大断面正面図である。
【図５】第２の実施の形態を示す断面正面図である。
【図６】第３の実施の形態を示す断面正面図である。
【図７】第４の実施の形態を示す断面正面図である。
【図８】被服展示用支柱構造の他例を示す側面図である。
【図９】要部拡大側面図である。
【図１０】要部拡大側面図である。
【図１１】要部拡大側面図である。
【発明を実施するための形態】
【０００９】
図１は、本発明の第１の実施の形態の使用状態を示す。この被服展示用支柱構造は、被服（図示省略）を展示するプラスチック製トルソー型マネキン等の展示本体部１を支持する支柱構造として用いられる。図２に示すように、上方小径パイプ２と下方大径パイプ３とが伸縮可能に嵌合されている。上方小径パイプ２と下方大径パイプ３とが、締結具（ネジ）９を緩めると伸縮可能となり、かつ、締結具９を締めると固定される。
【００１０】
上方小径パイプ２の下端４に、上昇（伸長）時には図３に示すようにエアーが下方大径パイプとの間を（矢印Ｅのように）通過可能、かつ、下降（短縮）時には図４に示すようにエアーを封止するように拡開する下方拡径状の弾性パッキン５がパイプ取付部材６を介して付設されている。弾性パッキン５が、中実状に形成されている。すなわち、図３と図４では、軸心孔20を有する円錐台形の中実状であり、ネジ21により取付部材６に取着されている。
【００１１】
下方大径パイプ３の下端７が閉鎖されて、下方大径パイプ３の内部がエアー密封室Ａに形成されている。具体的には、下方大径パイプ３の下端７がプラスチック製（例えばウレタン製）の封止部材８により閉鎖されている。
【００１２】
図５は、第２の実施の形態を示す。弾性パッキン５が、下方開口容器状に形成されている。その他の構成は、第１の実施の形態と同様である。
【００１３】
図６は、第３の実施の形態を示す。下方大径パイプ３が底壁３ａを有する（有底円筒形である）。その他の構成は、第１の実施の形態と同様である。
【００１４】
図７は、第４の実施の形態を示す。下方大径パイプ３の下端７が、基台板10に溶接された円筒11に嵌合されている。そして、Ｏリング等のシール材22にてエアー密封室Ａの下部がシールされる。その他の構成は、第１の実施の形態と同様である。
【００１５】
図８は、被服展示用支柱構造の他例を示す。すなわち、展示本体部１の前後傾きを調整することができる。たとえば、図８の実線及び図９は、展示本体部１を垂直状態とした場合を示す。図８の２点鎖線及び図10は、展示本体部１を前傾させた場合（前傾状態）を示す。図11は、展示本体部１（図８参照）を後傾させた場合（後傾状態）を示す。
【００１６】
具体的には、支柱12が上支柱部材13と下支柱部材14を備えるとともに上支柱部材13の傾きを調整自在とする前後傾調整機構Ｚを有する。前後傾調整機構Ｚが、上支柱部材13に螺合されるとともに先端15，16が下支柱部材14に当接して上支柱部材13を揺動・固定自在とする上下２本のネジ17，18を後ろ側に有する。その他の構成は、第１の実施の形態と同様である。
【００１７】
前後傾調整機構Ｚにより展示本体部１の前後傾きを調整するためには、上下２本のネジ17，18を適宜締めたり緩めたりする。すなわち、上下２本のネジ17，18を螺進退逆方向に操作させる。具体的には、図８の実線及び図９に示すように展示本体部１を垂直状態とする場合、上下２本のネジ17，18の締め具合を同一とする。図８の２点鎖線及び図10に示すように展示本体部１を前傾状態とする場合、上ネジ17を緩めると共に下ネジ18を締める。図11に示すように展示本体部１を後傾状態とする場合、上ネジ17を締めて下ネジ18を緩める。従来は被服を着せた際の重さで所望の立設状態よりも前方又は後方へ傾くという欠点があったが、前後傾調整機構Ｚにより被服を着せても所望の立設状態とすることができる。
【００１８】
なお、本発明は、設計変更可能であって、例えば、下方大径パイプ３の下端７が金属製の（例えば円盤形状の）封止部材８により閉鎖されているも良い。また、前後傾調整機構Ｚが、２本以上のネジを有するも良い。
【００１９】
以上のように、本発明は、被服を展示する展示本体部１を支持する支柱構造に於て、上方小径パイプ２と下方大径パイプ３とを伸縮可能に嵌合し、かつ、上方小径パイプ２の下端４に、上昇時にはエアーが下方大径パイプ３との間を通過可能かつ下降時にはエアーを封止するように拡開する下方拡径状の弾性パッキン５を付設し、さらに、下方大径パイプ３の下端７を閉鎖して、下方大径パイプ３の内部をエアー密封室Ａに形成したので、締結具９が緩んだ状態で上方小径パイプ２や展示本体部１から手を離しても、展示本体部１がドスーンと降下するのを防止することができる。あるいは、店舗等に展示した状態で、急に展示本体部１が降下する危険を確実に防止できる。すなわち、展示本体部は、エアー密封室のエアーの圧力によって弾発的に支持され、急激に下降しないように保持され、又は、クッション性をもって緩やかに下方へ移動する。
【００２０】
また、下方大径パイプ３の下端７をプラスチック製又は金属製の封止部材８により閉鎖したので、容易に製作することができる。
【符号の説明】
【００２１】
１  展示本体部
２  上方小径パイプ
３  下方大径パイプ
４  下端
５  弾性パッキン
７  下端
８  封止部材
Ａ  エアー密封室
【図１】
2010184070.tif 000003
【図２】
2010184070.tif 000004
【図３】
2010184070.tif 000005
【図４】
2010184070.tif 000006
【図５】
2010184070.tif 000007
【図６】
2010184070.tif 000008
【図７】
2010184070.tif 000009
【図８】
2010184070.tif 000010
【図９】
2010184070.tif 000011
【図１０】
2010184070.tif 000012
【図１１】
2010184070.tif 000013